(57)【要約】【課題】扁平管とフィンの取り付け易さを向上させた熱交換器を提供する。【解決手段】室外熱交換器４００は、積層された複数のフィン４１１と、複数の扁平管４１２とを備える。複数の扁平管は、Ｚ軸方向に並んで配置されている。複数のフィンのそれぞれは、複数の扁平管のそれぞれと接合された複数の切欠縁部４２２を有する。複数のフィンのうち少なくとも１つのフィンは、少なくとも１つの凸部４４０を有する。少なくとも１つの凸部は、Ｘ軸方向に突出し、かつ、複数の切欠縁部への複数の扁平管の接合時に変形する。【選択図】図４Ａ
2018173176.tif 000002
【特許請求の範囲】
【請求項１】
積層された複数のフィン（４１１）と、
前記複数のフィンの積層方向に対して交差する交差方向に並んで配置された複数の扁平管（４１２）と、
を備え、
前記複数のフィンのそれぞれは、前記複数の扁平管のそれぞれと接合された複数の挿入口縁部（４２２）を有し、
前記複数のフィンのうち少なくとも１つのフィンは、少なくとも１つの凸部（４４０）を有し、
前記少なくとも１つの凸部は、前記積層方向に突出し、かつ、前記複数の挿入口縁部への前記複数の扁平管の接合時に変形する、
熱交換器。
【請求項２】
前記少なくとも１つのフィンは、少なくとも１つの挿入口縁部から、前記積層方向と前記交差方向とを含む平面に直交する直交方向に離れた位置に、前記凸部を有する、
請求項１に記載の熱交換器。
【請求項３】
前記少なくとも１つのフィンは、複数の前記凸部を有し、
前記複数の前記凸部は、前記複数の挿入口縁部のそれぞれから、前記直交方向に離れた位置に、形成されている、
請求項２に記載の熱交換器。
【請求項４】
前記複数のフィンのそれぞれは、前記複数の前記凸部を有し、
前記複数のフィンのそれぞれにおける、前記複数の前記凸部は、前記複数の挿入口縁部のそれぞれから、前記直交方向に離れた位置に、形成されている、
請求項３に記載の熱交換器。
【請求項５】
前記少なくとも１つのフィンは、少なくとも１つの挿入口縁部と、前記少なくとも１つの挿入口縁部に隣接する挿入口縁部との間に、前記凸部を有する、
請求項１から請求項４のいずれか１項に記載の熱交換器。
【請求項６】
前記少なくとも１つのフィンは、複数の前記凸部を有し、
前記複数の前記凸部は、前記複数の挿入口縁部の、隣接する２つの挿入口縁部の間のそれぞれに、形成されている、
請求項５に記載の熱交換器。
【請求項７】
前記複数のフィンのそれぞれは、前記複数の前記凸部を有し、
前記複数のフィンのそれぞれにおける、前記複数の前記凸部は、前記複数の挿入口縁部の、隣接する２つの挿入口縁部の間のそれぞれに、形成されている、
請求項６に記載の熱交換器。
【発明の詳細な説明】
【技術分野】
【０００１】
本発明は、熱交換器に関する。
【背景技術】
【０００２】
第１ヘッダ集合管、第２ヘッダ集合管、扁平管、およびフィンが互いにロウ付けにより接合されてなる熱交換器が知られている（特許文献１（特開２０１５−３１４９１号公報）参照）。
【発明の概要】
【発明が解決しようとする課題】
【０００３】
扁平管がフィンに圧入される場合に、扁平管とフィンの間の摩擦力によって、扁平管がフィンに挿入され難い場合がある。この場合に、扁平管が強引にフィンに圧入されると、扁平管およびフィンが破損する恐れがある。
【０００４】
本発明の課題は、扁平管とフィンの取り付け易さを向上させた熱交換器を提供することである。
【課題を解決するための手段】
【０００５】
本発明の第１観点に係る熱交換器は、積層された複数のフィンと、複数の扁平管とを備える。複数の扁平管は、複数のフィンの積層方向に対して交差する交差方向に並んで配置されている。複数のフィンのそれぞれは、複数の扁平管のそれぞれと接合された複数の挿入口縁部を有する。複数のフィンのうち少なくとも１つのフィンは、少なくとも１つの凸部を有する。少なくとも１つの凸部は、積層方向に突出し、かつ、複数の挿入口縁部への複数の扁平管の接合時に変形する。
【０００６】
本発明の第１観点に係る熱交換器では、少なくとも１つのフィンは、積層方向に突出し、かつ、複数の挿入口縁部への複数の扁平管の接合時に変形する凸部を有する。複数の挿入口縁部への複数の扁平管の接合時に凸部が変形することによって、少なくとも１つの挿入口縁部が広げられる。挿入口縁部が広がることにより、挿入口縁部と扁平管の間の摩擦力が低減される。摩擦力が低減されるので、扁平管およびフィンの取り付け易さを向上させることができる。その結果、扁平管およびフィンの破損を抑制することが期待できる。
【０００７】
本発明の第２観点に係る熱交換器においては、少なくとも１つのフィンは、少なくとも１つの挿入口縁部から、積層方向と交差方向とを含む平面に直交する直交方向に離れた位置に、凸部を有する。
【０００８】
本発明の第２観点に係る熱交換器では、少なくとも１つのフィンが上述の位置に少なくとも１つの凸部を有するので、少なくとも１つの挿入口縁部を効果的に広げることができる。
【０００９】
本発明の第３観点に係る熱交換器においては、少なくとも１つのフィンは、複数の凸部を有する。複数の凸部は、複数の挿入口縁部のそれぞれから、直交方向に離れた位置に、形成されている。
【００１０】
本発明の第３観点に係る熱交換器では、少なくとも１つのフィンが上述の位置に複数の凸部、すなわち挿入口縁部の数だけの凸部を有するので、当該フィンの全ての挿入口縁部を効果的に広げることができる。したがって、複数の凸部を有する全てのフィンにおいて、扁平管とフィンの取り付け易さを向上させることができる。
【００１１】
本発明の第４観点に係る熱交換器においては、複数のフィンのそれぞれは、複数の凸部を有する。複数のフィンのそれぞれにおける、複数の凸部は、複数の挿入口縁部のそれぞれから、直交方向に離れた位置に、形成されている。
【００１２】
本発明の第４観点に係る熱交換器では、全てのフィンが上述の位置に複数の凸部、すなわち挿入口縁部の数だけの凸部を有するので、全てのフィンの全ての挿入口縁部を効果的に広げることができる。したがって、全てのフィンにおいて、扁平管とフィンの取り付け易さを向上させることができる。
【００１３】
本発明の第５観点に係る熱交換器においては、少なくとも１つのフィンは、少なくとも１つの挿入口縁部と、少なくとも１つの挿入口縁部に隣接する挿入口縁部との間に、凸部を有する。
【００１４】
本発明の第５観点に係る熱交換器では、少なくとも１つのフィンが上述の位置に少なくとも１つの凸部を有するので、少なくとも、凸部を挟んで対向する２つの挿入口縁部を効果的に広げることができる。
【００１５】
本発明の第６観点に係る熱交換器においては、少なくとも１つのフィンは、複数の凸部を有する。複数の凸部は、複数の挿入口縁部の、隣接する２つの挿入口縁部の間のそれぞれに、形成されている。
【００１６】
本発明の第６観点に係る熱交換器では、少なくとも１つのフィンが上述の位置に複数の凸部、すなわち挿入口縁部の総数よりも１だけ少ない数の凸部を有する。当該フィンにおいては、全ての挿入口縁部に隣接して凸部が形成されているので、当該フィンの全ての挿入口縁部を効果的に広げることができる。したがって、複数の凸部を有する全てのフィンにおいて、扁平管とフィンの取り付け易さを向上させることができる。
【００１７】
本発明の第７観点に係る熱交換器においては、複数のフィンのそれぞれは、複数の凸部を有する。複数のフィンのそれぞれにおける、複数の凸部は、複数の挿入口縁部の、隣接する２つの挿入口縁部の間のそれぞれに、形成されている。
【００１８】
本発明の第７観点に係る熱交換器では、全てのフィンが上述の位置に複数の凸部、すなわち挿入口縁部の総数よりも１だけ少ない数の凸部を有する。全てのフィンにおいて、全ての挿入口縁部に隣接して凸部が形成されているので、全てのフィンの全ての挿入口縁部を効果的に広げることができる。したがって、全てのフィンにおいて、扁平管とフィンの取り付け易さを向上させることができる。
【発明の効果】
【００１９】
本発明の第１観点に係る熱交換器では、挿入口縁部と扁平管の間の摩擦力を低減させることにより、扁平管およびフィンの取り付け易さを向上させることができる。その結果、扁平管およびフィンの破損を抑制することが期待できる。
【００２０】
本発明の第２観点に係る熱交換器では、少なくとも１つのフィンが少なくとも１つの挿入口縁部から直交方向に離れた凸部を有するので、少なくとも１つの挿入口縁部を効果的に広げることができる。
【００２１】
本発明の第３観点に係る熱交換器では、少なくとも１つのフィンが複数の挿入口縁部のそれぞれから直交方向に離れた複数の凸部を有するので、少なくとも１つのフィンの全ての挿入口縁部を効果的に広げることができる。したがって、複数の凸部を有する全てのフィンにおいて、扁平管とフィンの取り付け易さを向上させることができる。
【００２２】
本発明の第４観点に係る熱交換器では、全てのフィンが複数の挿入口縁部のそれぞれから直交方向に離れた複数の凸部を有するので、全てのフィンの全ての挿入口縁部を効果的に広げることができる。したがって、全てのフィンにおいて、扁平管とフィンの取り付け易さを向上させることができる。
【００２３】
本発明の第５観点に係る熱交換器では、少なくとも１つのフィンが少なくとも１つの挿入口縁部と、少なくとも１つの挿入口縁部に隣接する挿入口縁部との間に凸部を有するので、少なくとも、凸部を挟んで対向する２つの挿入口縁部を効果的に広げることができる。
【００２４】
本発明の第６観点に係る熱交換器では、少なくとも１つのフィンにおいては、全ての挿入口縁部に隣接して凸部が形成されているので、当該フィンの全ての挿入口縁部を効果的に広げることができる。したがって、複数の凸部を有する全てのフィンにおいて、扁平管とフィンの取り付け易さを向上させることができる。
【００２５】
本発明の第７観点に係る熱交換器では、全てのフィンにおいて、全ての挿入口縁部に隣接して凸部が形成されているので、全てのフィンの全ての挿入口縁部を効果的に広げることができる。したがって、全てのフィンにおいて、扁平管とフィンの取り付け易さを向上させることができる。
【図面の簡単な説明】
【００２６】
【図１】室外熱交換器を備える空気調和機の構成を説明する図である。
【図２】室外熱交換器の外観斜視図である。
【図３】熱交換部を説明する図である。
【図４Ａ】図３のＩＶ−ＩＶ断面図である。
【図４Ｂ】複数の扁平管が複数の切欠部に圧入される前のフィンの断面図である。
【図５】第１凸部を説明する図である。
【図６】第２凸部を説明する図である。
【発明を実施するための形態】
【００２７】
本発明の実施形態を以下に示す。なお、以下の実施形態は、具体例に過ぎず、特許請求の範囲に係る発明を限定するものではない。
【００２８】
＜第１実施形態＞
（１）空気調和機
（１−１）空気調和機の概略構成
図１は、本発明の一実施形態に係る熱交換器の一例としての室外熱交換器４００を備える空気調和機１００の構成を説明する図である。空気調和機１００は、熱源側ユニットとしての空調室外機２００と、利用側ユニットとしての空調室内機３００とを含む。空調室外機２００と空調室内機３００は、液冷媒の冷媒連絡配管１０１およびガス冷媒の冷媒連絡配管１０２を介して、互いに接続されている。
【００２９】
空気調和機１００の冷媒回路は、空調室外機２００、空調室内機３００、冷媒連絡配管１０１、および冷媒連絡配管１０２によって、構成されている。より詳細には、冷媒回路は、膨張弁２０３、圧縮機２０４、四路切換弁２０５、アキュムレータ２０６、室内熱交換器３０１および室外熱交換器４００を含む。
【００３０】
（１−２）空気調和機の詳細構成
（１−２−１）空調室内機
空調室内機３００は、室内熱交換器３０１と、室内ファン３０２とを有する。室内熱交換器３０１は、例えば、伝熱管と多数のフィンとにより構成されたクロスフィン式のフィンアンドチューブ型熱交換器である。室内熱交換器３０１は、冷房運転時に冷媒の蒸発器として機能して室内空気を冷却し、暖房運転時に冷媒の凝縮器として機能して室内空気を加熱する。
【００３１】
（１−２−２）空調室外機
空調室外機２００は、ガス冷媒配管２０１と、液冷媒配管２０２と、膨張弁２０３と、圧縮機２０４と、四路切換弁２０５と、アキュムレータ２０６と、室外ファン２０７と、室外熱交換器４００とを有する。ガス冷媒配管２０１の一端は、室外熱交換器４００のガス側端部に接続され、ガス冷媒配管２０１の他端は、四路切換弁２０５に接続されている。液冷媒配管２０２の一端は、室外熱交換器４００の液側端部に接続され、液冷媒配管２０２の他端は、膨張弁２０３に接続されている。
【００３２】
膨張弁２０３は、冷媒を減圧する機構である。膨張弁２０３は、室外熱交換器４００と冷媒連絡配管１０１の間に設けられている。圧縮機２０４は、圧縮機用モータによって駆動される密閉式圧縮機である。
【００３３】
四路切換弁２０５は、冷媒が流れる方向を切り換える機構である。冷房運転時には、図１の四路切換弁２０５の実線に示されるように、四路切換弁２０５は、圧縮機２０４の吐出側の冷媒配管とガス冷媒配管２０１を接続すると共に、アキュムレータ２０６を介して、圧縮機２０４の吸入側の冷媒配管と冷媒連絡配管１０２を接続する。一方、暖房運転時には、図１の四路切換弁２０５の破線に示されるように、四路切換弁２０５は、圧縮機２０４の吐出側の冷媒配管と冷媒連絡配管１０２を接続すると共に、アキュムレータ２０６を介して、圧縮機２０４の吸入側の冷媒配管とガス冷媒配管２０１を接続する。
【００３４】
アキュムレータ２０６は、圧縮機２０４と四路切換弁２０５の間に設けられている。アキュムレータ２０６は、冷媒を気相と液相に分ける。室外ファン２０７は、室外空気を室外熱交換器４００に供給する。
【００３５】
（１−３）空気調和機の動作
（１−３−１）冷房運転
膨張弁２０３の開度は、室内熱交換器３０１の出口（すなわち、室内熱交換器３０１のガス側）における冷媒の過熱度が一定になるように、調整されている。冷房運転時の四路切換弁２０５の接続状態は、既に説明した通りである。
【００３６】
以上のような状態の冷媒回路において、圧縮機２０４から吐出された冷媒は、四路切換弁２０５を通って室外熱交換器４００へ流入し、室外空気へ放熱して凝縮する。室外熱交換器４００から流出された冷媒は、膨張弁２０３を通過するときに膨張する。その後、室内熱交換器３０１へ流入し、室内空気から吸熱して蒸発する。
【００３７】
（１−３−２）暖房運転
膨張弁２０３の開度は、室内熱交換器３０１の出口における冷媒の過冷却度が過冷却度目標値で一定になるように、調節されている。暖房運転時の四路切換弁２０５の接続状態は、既に説明した通りである。
【００３８】
以上のような状態の冷媒回路において、圧縮機２０４から吐出された冷媒は、四路切換弁２０５を通って室内熱交換器３０１へ流入し、室内空気へ放熱して凝縮する。室内熱交換器３０１から流出した冷媒は、膨張弁２０３を通過するときに膨張する。その後、室外熱交換器４００へ流入し、室外空気から吸熱して蒸発する。室外熱交換器４００から流出した冷媒は、四路切換弁２０５を通過後に再び圧縮機２０４へ吸入されて圧縮される。
【００３９】
（２）室外熱交換器
（２−１）室外熱交換器の概略構成
図２は、室外熱交換器４００の外観斜視図である。室外熱交換器４００は、熱交換部４１０と、出入口ヘッダ集合管４２０と、折返しヘッダ集合管４３０とを備える。熱交換部４１０、出入口ヘッダ集合管４２０、および折返しヘッダ集合管４３０は、互いにロウで接合されている。なお、本明細書では、後述する複数のフィン４１１が積層される積層方向をＸ軸方向と定義する。それぞれのフィン４１１の長手方向、すなわち、Ｘ軸方向に交差し、後述の複数の扁平管４１２が並んで配置されている方向をＹ軸方向と定義する。それぞれのフィン４１１の短手方向、すなわち、Ｘ軸方向とＹ軸方向を含む平面に直交する直交方向をＺ軸方向と定義する。
【００４０】
熱交換部４１０は、室外空気と冷媒の熱交換を行う。熱交換部４１０は、複数のフィン４１１と、複数の扁平管４１２とを備える。複数のフィン４１１および複数の扁平管４１２は、アルミニウム製、またはアルミニウム合金製である。複数のフィン４１１は、Ｘ軸方向に積層されている。複数の扁平管４１２は、Ｙ軸方向に並んで配置されている。
【００４１】
出入口ヘッダ集合管４２０は、熱交換部４１０のＸ軸方向の一端側に設けられている。出入口ヘッダ集合管４２０は、扁平管４１２のＸ軸方向の一端近傍を固定している。出入口ヘッダ集合管４２０の内部空間は、扁平管４１２の内部流路と連通している。
【００４２】
折返しヘッダ集合管４３０は、熱交換部４１０のＸ軸方向の他端側に設けられている。折返しヘッダ集合管４３０は、扁平管４１２のＸ軸方向の他端近傍（すなわち、出入口ヘッダ集合管４２０側とは反対側の端部近傍）を固定している。折返しヘッダ集合管４３０の内部空間は、扁平管４１２の内部流路と連通している。
【００４３】
（２−２）熱交換部の構成
図３は、熱交換部４１０を説明する図である。図３は、図２の領域ＡのＹＺ断面の一部を拡大した図である。複数のフィン４１１の構造は、互いに共通している。したがって、ここでは、１つのフィン４１１を例に挙げてその構造を説明する。
【００４４】
フィン４１１は、板状の部材である。フィン４１１の形状は、全体として略矩形である。より詳細には、Ｙ軸方向を長辺、Ｚ軸方向を短辺とする矩形である。フィン４１１は、挿入口の一例としての、複数の切欠部４２１を有する。複数の切欠部４２１は、空気流れの風上側（すなわちＺ軸方向のマイナス側）に形成されている。複数の切欠部４２１は、Ｙ軸方向に間隔をあけて形成されている。複数の切欠部４２１には、複数の扁平管４１２のそれぞれが挿入されている。複数の切欠部４２１の、挿入口縁部の一例としての切欠縁部４２２は、複数の扁平管４１２のそれぞれと接合されている。本実施形態においては、切欠縁部４２２は、Ｕ字状に形成されている。
【００４５】
複数の扁平管４１２は、伝熱管として機能する。冷媒はそれぞれの扁平管４１２の内部を流れ、それぞれの扁平管４１２はフィン４１１と室外空気の間を移動する熱を冷媒に伝達する。
【００４６】
（２−３）扁平管の挿入前後のフィン
図４は、扁平管４１２が圧入される前後のフィン４１１を説明する図である。図４Ａは、図３のＩＶ−ＩＶ断面図である。図４Ｂは、複数の扁平管４１２が複数の切欠部４２１に圧入される前のフィン４１１の断面図である。図４Ｂは、図４Ａに対応しており、図３のＩＶ−ＩＶ断面に相当する部分の断面図である。図５は、後述の第１凸部４４１を説明する図である。具体的には、図３のＶ−Ｖ断面図である。図６は、後述の第２凸部４４２を説明する図である。具体的には、図３のＶＩ−ＶＩ断面図である。
【００４７】
図４Ａに示されるように、フィン４１１は、凸部４４０を有する。凸部４４０は、第１凸部４４１と第２凸部４４２を含む。
【００４８】
第１凸部４４１は、切欠部４２１に対応して設けられている。より詳細には、第１凸部４４１は、切欠縁部４２２からＺ軸方向に離れた位置に設けられている。本実施形態においては、第１凸部４４１は、全ての切欠部４２１に対応して設けられている。すなわち、第１凸部４４１は、全ての切欠縁部４２２のそれぞれからＺ軸方向に離れた位置に、設けられている。
【００４９】
第１凸部４４１は、Ｘ軸方向に突出する凸部である。より詳細には、図５に示されるように、切欠縁部４２２のＹ軸方向の一端付近から切欠部４２１の中心部分にかけて盛り上がり、当該中心部分から切欠縁部４２２のＹ軸方向の他端付近にかけて盛り下がる。
【００５０】
第２凸部４４２は、Ｙ軸方向に隣接する２つの切欠縁部４２２の間の領域４５０に設けられている。本実施形態においては、第２凸部４４２は、全ての隣接する２つの切欠縁部４２２の間の領域に設けられている。
【００５１】
第２凸部４４２は、Ｘ軸方向に突出する凸部である。より詳細には、図６に示されるように、一方の切欠縁部４２２における、他方の切欠縁部４２２側の端部付近から、領域４５０の中心部分にかけて盛り上がり、当該中心部分から、他方の切欠縁部４２２における、一方の切欠縁部４２２側の端部付近にかけて盛り下がる。第２凸部４４２の裾部分は、第１凸部４４１の裾部分よりも広い。
【００５２】
図４Ａおよび図４Ｂに示されるように、複数の扁平管４１２が複数の切欠部４２１に圧入される場合に、第１凸部４４１および第２凸部４４２は変形する。より詳細には、複数の扁平管４１２が複数の切欠部４２１にＸ軸方向から圧入されるので、第１凸部４４１はＹ軸方向に押し広げられる。すなわち、圧入後の第１凸部４４１の高さ（つまり第１凸部４４１の基点Ｘ３から頂点Ｘ４までのＸ軸方向の距離）Ｄ１は、圧入前の第１凸部４４１の高さ（つまり第１凸部４４１の基点Ｘ１から頂点Ｘ２までのＸ軸方向の距離）Ｄ２よりも低くなる。それと同時に、第１凸部４４１の高さが低くなることによって、それによる力が第１凸部４４１の周辺の領域に対しＹ軸方向に働く。結果として、第１凸部４４１および第２凸部４４２の裾部分が持ち上がる。したがって、圧入後の第２凸部４４２の高さ（つまり第２凸部４４２の基点Ｘ３から頂点Ｘ２までのＸ軸方向の距離）Ｄ３も、圧入前の第２凸部４４２の高さＤ２よりも低くなる。なお、複数の扁平管４１２が複数の切欠部４２１に圧入される前では、第１凸部４４１の高さと第２凸部４４２の高さは、略同一である。
【００５３】
複数のフィン４１１と複数の扁平管４１２は、複数の扁平管４１２のそれぞれが複数の切欠部４２１に嵌め込まれた状態で、仮固定される。仮固定された複数のフィン４１１および複数の扁平管４１２は、ロウ付けにより接合される。
【００５４】
（３）室外熱交換器の特徴
本実施形態の室外熱交換器４００は、複数のフィン４１１と複数の扁平管４１２を備える。複数のフィン４１１のそれぞれは、複数の扁平管４１２のそれぞれと接合された複数の切欠縁部４２２を有する。複数のフィン４１１のそれぞれは、切欠縁部４２２の数だけ第１凸部４４１を有する。より詳細には、複数の切欠縁部４２２のそれぞれからＺ軸方向に離れた位置に、第１凸部４４１を有する。第１凸部４４１は、複数の切欠縁部４２２への複数の扁平管４１２の圧入時に変形する、すなわち、Ｙ軸方向に押し広げられる。これにより、全ての切欠縁部４２２が広げられる。すなわち、全ての切欠部４２１のＹ軸方向の幅が広げられる。全ての切欠縁部４２２が広げられることにより、切欠縁部４２２と扁平管４１２の間の摩擦力が低減される。摩擦力が低減されるので、扁平管４１２およびフィン４１１の取り付け易さを向上させることができる。その結果、扁平管４１２およびフィン４１１の破損を抑制することが期待できる。
【００５５】
特に、本実施形態の室外熱交換器４００においては、全てのフィン４１１が切欠縁部４２２の数だけ第１凸部４４１を有するので、全てのフィン４１１の全ての切欠縁部４２２を効果的に広げることができる。したがって、全てのフィン４１１において、扁平管４１２とフィン４１１の取り付け易さを向上させることができる。
【００５６】
本実施形態の室外熱交換器４００においては、複数のフィン４１１のそれぞれは、切欠縁部４２２の総数よりも１だけ少ない数の第２凸部４４２を有する。より詳細には、複数の切欠縁部４２２の、隣接する２つの切欠縁部４２２の間のそれぞれに、第２凸部４４２を有する。第２凸部４４２は、複数の切欠縁部４２２への複数の扁平管４１２の圧入時に変形する、すなわち、Ｙ軸方向に押し広げられる。これにより、全ての切欠縁部４２２が広げられる。全ての切欠縁部４２２が広げられることにより、切欠縁部４２２が広げられることにより、切欠縁部４２２と扁平管４１２の間の摩擦力が低減される。したがって、上述のように、扁平管４１２およびフィン４１１の取り付け易さを向上させることができ、結果として、扁平管４１２およびフィン４１１の破損を抑制することが期待できる。
【００５７】
特に、本実施形態の室外熱交換器４００においては、全てのフィン４１１が切欠縁部４２２の総数よりも１だけ少ない数の第２凸部４４２を有するので、全てのフィン４１１の全ての切欠縁部４２２を効果的に広げることができる。したがって、全てのフィン４１１において、扁平管４１２とフィン４１１の取り付け易さを向上させることができる。
【００５８】
＜変形例＞
本発明の実施形態に適用可能な変形例を説明する。
【００５９】
（１）変形例Ａ
以上の説明では、全てのフィン４１１のそれぞれが、切欠縁部４２２の数と同数の第１凸部４４１を有したが、いくつかのフィン４１１は、切欠縁部４２２の数よりも少ない数の第１凸部４４１を有してもよいし、第１凸部４４１を全く有さなくてもよい。すなわち、少なくとも１つのフィン４１１が、切欠縁部４２２の数と同数の第１凸部４４１を有してもよい。この場合には、第１凸部４４１を有する全てのフィン４１１において、当該フィンの全ての切欠縁部４２２を効果的に広げることができる。また、切欠縁部４２２の数よりも少ない数の第１凸部４４１を有するフィンにおいては、少なくとも第１凸部４４１が設けられた切欠縁部４２２を効果的に広げることができる。以上のように、扁平管４１２とフィン４１１の取り付け易さを向上させることができる。
【００６０】
切欠縁部４２２の数と同数の第１凸部４４１を有するフィン４１１が存在しなくてもよい。すなわち、少なくとも１つのフィン４１１が、少なくとも１つの第１凸部４４１を有してもよい。この場合には、少なくとも１つのフィン４１１の、少なくとも１つの切欠縁部４２２を効果的に広げることができる。
【００６１】
以上の説明では、全てのフィン４１１のそれぞれが、切欠縁部４２２の数よりも１だけ少ない数の第２凸部４４２を有したが、いくつかのフィン４１１は、切欠縁部４２２の数よりも２以上少ない数の第２凸部４４２を有してもよいし、第２凸部４４２を全く有さなくてもよい。すなわち、少なくとも１つのフィン４１１が、切欠縁部４２２の数よりも１だけ少ない数の第２凸部４４２を有してもよい。この場合には、第２凸部４４２を有する全てのフィン４１１において、扁平管４１２とフィン４１１の取り付け易さを向上させることができる。また、切欠縁部４２２の数よりも２以上少ない数の第２凸部４４２を有するフィンにおいては、少なくとも第２凸部４４２を挟んで対向する２つの切欠縁部４２２を効果的に広げることができる。以上のように、扁平管４１２とフィン４１１の取り付け易さを向上させることができる。
【００６２】
切欠縁部４２２の数よりも１だけ少ない数と同数の第２凸部４４２を有するフィン４１１が存在しなくてもよい。すなわち、少なくとも１つのフィン４１１が、少なくとも１つの第２凸部４４２を有してもよい。この場合には、少なくとも１つのフィン４１１の、少なくとも第２凸部４４２を挟んで対向する２つの切欠縁部４２２を効果的に広げることができる。
【００６３】
（２）変形例Ｂ
以上の説明では、複数の扁平管４１２が複数の切欠部４２１に圧入されたが、圧入されなくてもよい。複数のフィン４１１と複数の扁平管４１２の接合前において、複数の切欠部４２１のＹ軸方向の幅は、複数の扁平管４１２のＹ軸方向の幅よりも十分に大きく形成されていてもよい。そして、複数の扁平管４１２が複数の切欠部４２１に挿入された後に、Ｙ軸方向に圧縮されてもよい。
【００６４】
この場合に、複数の扁平管４１２が複数の切欠部４２１に挿入された段階では、第１凸部４４１は、略平坦状である。Ｙ軸方向に圧縮されることにより、第１凸部４４１がＸ軸方向に盛り上がる。これにより、上述した、緩やかな（すなわち、押し広げられた状態の）第１凸部４４１が形成される。一方で、複数の扁平管４１２が複数の切欠部４２１に挿入された段階では、第２凸部４４２も、略平坦状である。Ｙ軸方向に圧縮されることにより、第２凸部４４２がＸ軸方向に盛り上がる。これにより、上述した、緩やかな第２凸部４４２が形成される。
【００６５】
以上のことから、複数の扁平管４１２が複数の切欠部４２１に圧入されようと、複数の切欠部４２１に挿入された後にＹ軸方向に圧縮されようと、第１凸部４４１および第２凸部４４２の形状は略同一になる。
【００６６】
（３）変形例Ｃ
以上の説明では、挿入部として切欠部４２１を例に挙げたが、これに限られない。挿入部として、扁平管４１２の形状に合わせた開口部が形成されていてもよい。なお、この場合には、挿入口縁部として開口縁部が形成されている。
【００６７】
以上のように、本発明は実施形態を用いて説明されたが、本発明の技術的範囲は上記の実施形態に記載の範囲に限定されない。多様な変更または改良を上記の実施形態に加えることが可能であることは、当業者に明らかである。その様な変更または改良を加えた形態も本発明の技術的範囲に含まれ得ることは、特許請求の範囲の記載から明らかである。
【符号の説明】
【００６８】
４００  熱交換器
４１１  フィン
４１２  扁平管
４２２  切欠縁部
４４０  凸部
【先行技術文献】
【特許文献】
【００６９】
【特許文献１】特開２０１５−３１４９１号公報
【図１】
2018173176.tif 000003
【図２】
2018173176.tif 000004
【図３】
2018173176.tif 000005
【図４Ａ】
2018173176.tif 000006
【図４Ｂ】
2018173176.tif 000007
【図５】
2018173176.tif 000008
【図６】
2018173176.tif 000009